(57)【要約】      （修正有）【課題】洗濯物を均等に乾燥させることが出来ると共に、部屋干しのイヤな臭いが付きにくく、且つ室内の細菌や花粉を分解するための空気清浄機にもなる、洗濯物乾燥機を提供する。【解決手段】自立可能に設けた支柱１の上部に、該支柱の周りに洗たく物を吊り下げるための吊り下げ手段を備え、前記支柱の下部に温風発生装置を備え、該温風発生装置から前記吊り下げ手段までを覆うと共に洗濯物の出し入れ口を有するカバー３を備えた乾燥機であって、前記温風発生装置は空気の取り込み口と加熱部とオゾン発生部と送風ファンと、前記オゾン発生部で発生させたオゾンを含んだ温風を洗濯物に均等に当てるための多方向に万遍無く吹き出す吹き出し口と、前記カバー３の上部に均等に設けた排気口３３であると共に室内空気清浄機としての吹き出し口３３と、から成るものとした。【選択図】図１
0003142564.tif 000002
【実用新案登録請求の範囲】
【請求項１】
自立可能に設けた支柱の上部に、該支柱の周りに洗濯を吊り下げるための吊り下げ手段を備え、前記支柱の下部に温風発生装置を備え、該温風発生装置から前記吊り下げ手段までを覆うと共に洗濯物の出し入れ口を有するカバーを備えた乾燥機であって、前記温風発生装置は空気の取り込み口と加熱部とオゾン発生部と送風ファンと、前記オゾン発生部で発生させたオゾンを含んだ温風を洗濯物に均等に当てるための多方向に万遍無く吹き出す吹き出し口と、前記カバーの上部に均等に設けた排気口であると共に室内空気清浄機としての吹き出し口と、から成ることを特徴とする空気清浄機兼用の洗濯物乾燥機。
【請求項２】
更に、洗濯物に当てることなく直接室内にオゾンを吹き出すための吹き出し口を別に設けて成る、請求項１に記載の空気清浄機兼用の洗濯物乾燥機。
【請求項３】
全体をコンパクトに収納するために前記支柱や前記吊り下げ手段を着脱自在にまたは折り畳み自在に設けて成る、請求項１に記載の空気清浄機兼用の洗濯物乾燥機。
【考案の詳細な説明】
【技術分野】
【０００１】  この考案は、洗濯物を均等に乾燥させることが出来ると共に部屋干しのイヤな臭いが付きにくく且つ室内の細菌や花粉を分解するための空気清浄機にもなる、オゾンを発生する空気清浄機兼用の洗濯物乾燥機に関するものである。
【背景技術】
【０００２】  雨の日や外干しの際の人目を避けたいと言うような理由によって室内で洗濯物を干さざるを得ない場合のために、従来より部屋干しが行われて来た。またこのための洗濯物乾燥機が提供されている。【０００３】  室内用の洗濯物乾燥機の一例として、特開平０７−３９６９３号の「衣類等の乾燥具」を上げる。このものは同形状を持つ多数の小さい穴を配設したビニール製の袋体の中に、洗濯物等をハンガー等にて保持し、送風機にて袋体内部に空気を送り、該袋体内部に保持した洗濯物等より水分が蒸発し、多数設けられた穴より均等に高湿度な空気が抜けるようにして成るものである。
【特許文献１】特開平０７−３９６９３号公報
【考案の開示】
【考案が解決しようとする課題】
【０００４】  しかしながら上述した特開平０７−３９６９３号の「衣類等の乾燥具」には、次のような幾つかの問題点がある。先ず単に袋体に多数の小さい穴を配設しただけでは均等に空気が抜けるだけであり、ハンガー等にて保持した洗濯物等を均等に乾かすことが出来ない。また単に空気を送るだけでは乾燥の速度もそれ程速くはならない。また部屋干し特有のイヤな臭いの付着を無くすることが出来ない。イヤな臭いの原因は細菌の増殖によるものと考えられるが、これを殺菌することが出来ず、かえって細菌を袋体の多数の小穴から室内へと吹き出してしまうことになりかねない。また一旦は外干ししたものの乾き切らない内に室内に取り込む場合があり、春先の杉等の花粉が舞う季節には洗濯物に花粉が付着していることがある。またこの際に室内に花粉が舞い込むこともあるが、このような問題には上述したタイプの乾燥機では対処することが出来ないでいる。【０００５】  そこでこの考案は上述したようなタイプの乾燥機の問題点に鑑み、乾燥速度が比較的に速く、洗濯物を均等に乾燥させることが出来、部屋干しのイヤな臭いが付きにくく、室内の細菌や花粉をも分解することができるような、洗濯物乾燥機を提供することを課題とするものである。
【課題を解決するための手段】
【０００６】  上記の課題は、自立可能に設けた支柱の上部に、該支柱の周りに洗たく物を吊り下げるための吊り下げ手段を備え、前記支柱の下部に温風発生装置を備え、該温風発生装置から前記吊り下げ手段までを覆うと共に洗濯物の出し入れ口を有するカバーを備えた乾燥機であって、前記温風発生装置は空気の取り込み口と加熱部とオゾン発生部と送風ファンと、前記オゾン発生部で発生させたオゾンを含んだ温風を洗濯物に均等に当てるための多方向に万遍無く吹き出す吹き出し口と、前記カバーの上部に均等に設けた排気口であると共に室内空気清浄機としての吹き出し口と、から成ることを特徴とする空気清浄機兼用の洗濯物乾燥機とすることによって達成される。【０００７】  支柱を自立可能に設けるには、支柱の下端部を円盤状等の台に取り付けたり、三脚や四脚などのように回転対称形に配設された脚部を取り付けたりする。前記吊り下げ手段とは、ハンガー等を下げるための網状棚や、洗濯物を直接吊したりピンチやハンガー等を下げ得るように支柱から外方向に張り出した腕状部材のことである。また前記カバーに設けた洗濯物の出し入れ口はこれを閉じておくためのファスナーや面テープなどを備えることが好ましい。【０００８】  従ってこの考案によればカバー内部に於いては、吊り下げ手段が設けられているため洗濯物は支柱の周りに略均等に吊り下げられ、これに向けて温風が多方向に万遍無く吹き出され、排出口から均等に排出されるため、オゾンを含んだ温風がカバー内部をほぼ均等に流れることになる。この際に温風であることから洗濯物の乾きが速く、オゾンによって雑菌や花粉の細胞膜が酸化され破壊または分解されてしまう。【０００９】  また十分な量のオゾンを生成しているため、カバー外部すなわち室内に於いては、余剰のオゾンが排出口（室内空気清浄機としての吹き出し口である）から室内に吹き出して、室内の細菌や花粉の問題を解消する一助となる。すなわちこの考案には空気清浄機兼用の洗濯物乾燥機としての作用がある。【００１０】  なお更に別に、洗濯物に当てることなく直接室内にオゾンを吹き出すための吹き出し口を設けて成るものとすることが出来る。例えばカバーの下部に排気口を設ければ、オゾンを含んだ温風は一旦はカバー内部に吹き出すも、その一部がカバー下部の排気口から室内に吹き出す。あるいは前記オゾン発生部からカバー内部を経由することなく直接オゾンまたは空気を混ぜたオゾンを室内に吹き出すように構成することも可能である。【００１１】  このように構成することにより、室内の細菌や花粉を分解する空気清浄機としての機能を強化することが出来る。【００１２】  なお全体をコンパクトに収納するために前記支柱や竿部を着脱自在に、または折り畳み自在に構成しても良い。前記カバーは取り外し可能に設けても、そうでなくても良い。更に前記支柱をアンテナのように伸縮自在に構成しても良い。【００１３】  前記支柱に対して、吊り下げ手段を着脱自在に設けたり折り畳み自在に設けることによって場所を取らないようにすることが出来る。支柱の下端部は、前記台に取り付けられたり脚部を設けたりするのであるが、台や脚部を取り外し可能に設けたり、脚部を折り畳み自在に設けることでこの部位が場所を取��ないようにすることが可能である。従って全体をコンパクトに収納出来て嵩張らず、運搬するのにも都合が良い。
【考案の効果】
【００１４】  この考案によれば温風を万遍無く洗濯物に当てることが出来ることから、洗濯物の乾燥速度が比較的に速く、また均等に乾燥させることが出来る。この温風にはオゾンが含まれているために部屋干しのイヤな臭いが付きにくい。また十分に発生させたオゾンは室内にも吹き出されるため室内の細菌や花粉をも分解することが可能である。従ってこの考案は洗濯物乾燥機のみならず空気清浄機としての使用が出来る優れた物であり、産業上の利用価値は極めて高い。なおこの考案は洗濯物が干されていない状態でも室内空気清浄機として使用出来ると言う特長がある。
【考案を実施するための最良の形態】
【００１５】  第１実施形態
図１乃至図３はこの実施形態の空気清浄機兼用の洗濯物乾燥機を表わす。このものは円盤状の脚部１０の中心部から立設した支柱１の上部に、この支柱１の周りに洗濯物を吊り下げるための吊り下げ手段である、４本のアーム１１を回転対称に備えている。このアーム１１には洗濯物を掛けたハンガーのフックを通す孔であるキャッチャ１２が取り付けられている。また前記支柱１の下部に温風発生装置である温風機２を備えている。この温風機２の正面部に温風機２のＯＮ／ＯＦＦ等の操作を行うためのスイッチ２０が取り付けられており、温風機２の上部には送風口２１が、また下面部には空気の取り込み口である吸気口２２が設けられている。また前記温風機２から前記アーム１１までを覆うと共に洗濯物の出入口３０を有するカバー３を備えている。このカバー３の下部は前記送風口２１よりは下で前記吸気口２２よりは上に位置するように紐３２で締め付けて止められている。従って吸気口２２から吸入した空気は送風口２１からカバー３の内部に吹き出すように構成されている。なおこのカバー３にはファスナー３１が逆Ｌ字状に設けられており、これを開けるとこの部位が洗濯物の出入口３０となる。【００１６】  さて前記温風機２はファン４によって前記吸気口２２から吸入した空気を次段のヒータ５で加熱する。こうして加熱された空気はファン４の力で送風口２１に送り出されるが、この直前に設けられたオゾナイザ６で発生したオゾン（Ｏ３）を含んだ温風となる（図２）。このオゾン温風は、洗濯物に均等に当てるための３６０度方向に万遍無く吹き出す吹き出し口である送風口２１からカバー３内に送り出される。この際にカバー３の上面部には排出口兼用吹き出し口３３が均等に設けられている。従って送風口２１から均等に吹き出したオゾン温風はアーム１１に吊り下げられた洗濯物を、また支柱１の途中に設けられた棚１３に載置された洗濯物を均等にぬうようにして、排出口兼用吹き出し口３３からカバー３の外へ吹き出すのである。【００１７】  このカバー３の外は室内であるが、排出口兼用吹き出し口３３は、カバー３の内部から見れば排気口であるが、室内から見ればオゾン（Ｏ３）の吹き出し口であると言うことになる。従って本機はまた室内空気清浄機としての役割を担うことになる。【００１８】  次に図３で示したものは前記温風機２に内蔵するマイコンによる制御部７まわりのブロック図である。制御部７にはタイマ７１が接続されており、これが設定された場合には設定時間後に本機のＯＮ／ＯＦＦを自動的に行う。また制御部７には湿度センサ７０が接続されており、これがＯＮの場合にはカバー３内の湿度を計測して設定湿度になったら洗濯物が乾いたものとして本機を自動的にＯＦＦにする。また制御部７はこれに接続されている温風機２及びオゾナイザ６のＯＮ／ＯＦＦの制御を行う。【００１９】  ところでオゾン温風の吹き出し口は、万遍無く吹き出して洗濯物を乾かすようにするために１方向に設けるのではなく、少なくとも略１８０度間隔で２方向、好ましくは１２０度間隔で３方向に設けるようにする。或いは１つの吹き出し口がモータで３６０度回転するように構成されていても良い。【００２０】  第２実施形態
図４は支柱１に取り付けられた網棚８を表わす。これは上述した第１実施形態のアーム１１の代わりに設けられたものであり、網８に洗濯物を掛けたハンガーのフックが掛けられるようになっている。【００２１】  ハンガーは網８のどの場所にも掛けることが出来、ハンガーが掛けられる数に上述した第１実施形態のキャッチャ１２のような限定はない。ユーザーはオゾン温風が均等に当たることを意識して洗濯物を吊すようにすれば良い。【００２２】  第３実施形態
図５に示した温風機９が上述した第１実施形態のものと異なる点は次の通りである。すなわち先ず支柱１は脚部１０に対して着脱自在に設けられている。脚部１０には差し込み口１５が開口されており、この差し込み口１５に支柱１の下端部１４が差し込まれて組み立てられる。なお支柱１の頂部ではアーム１１が着脱自在であるが、これは図示していない。このようにして本機はコンパクトに収納や運搬が可能である。なお脚部１０の代わりに折り畳み式の三脚を用いる構成などとすることが出来る。【００２３】  次に本機の温風機９にはその側面部に吹き出し口９２が設けられている。この吹き出し口９２はオゾナイザ６で発生したオゾン（Ｏ３）を含んだ温風を鎖線で示したパイプを経由してカバー３の外部にすなわち室内に吹き出すためのものである。従ってこのオゾン温風は洗濯物を乾燥させることには使われずに、室内の空気清浄のためだけに用いられる。図中符合９０はスイッチを示し、符合９１は送風口を示す。【００２４】  この吹き出し口９２と類似の作用は、吹き出し口９２を設けずとも、カバー３の側面部の下端部分に吹き出し口を設けるだけでも得られる。ここから吹き出すオゾン温風は洗濯物の乾燥にはほぼ使われないからである。【００２５】  なおこの考案は洗濯物が干されていない状態でも室内空気清浄機として使用出来るが、この場合に加熱部の動作を停止させるように設計しても良い。また発生させるオゾン量を調節し得るように構成しても良い。
【産業上の利用可能性】
【００２６】  なおこの考案は下着専用のコンパクトな、空気清浄機兼用の洗濯物乾燥機として構成することが可能である。卓上で用いたり天井から吊すような使用法の可能性がある。
【図面の簡単な説明】
【００２７】
【図１】  第１実施形態の部分接切正面図である。
【図２】  同実施形態の温風機２の説明図である。
【図３】  同実施形態のブロック図である。
【図４】  第２実施形態の網棚８の平面図である。
【図５】  第３実施形態の温風機９の説明図である。
【符号の説明】
【００２８】１    支柱
１０  脚部
１１  アーム
１２  キャッチャ
３    棚
１４  下端部
１５  差し込み口
２    温風機
２０  スイッチ
２１  送風口
２２  吸気口
３    カバー
３０  出入口
３１  ファスナー
３２  紐
３３  排出口兼用吹き出し口
４    ファン
５    ヒータ
６    オゾナイザ
７    制御部
７０  湿度センサ
７１  タイマ
８    網棚
８０  網
９    温風機
９０  スイッチ
９１  送風口
９２  吹き出し口
【図１】
0003142564.tif 000003
【図２】
0003142564.tif 000004
【図３】
0003142564.tif 000005
【図４】
0003142564.tif 000006
【図５】
0003142564.tif 000007